【手続補正書】
【提出日】平成25年2月1日(2013.2.1)
【手続補正１】
【補正対象書類名】明細書
【補正対象項目名】００１５
【補正方法】変更
【補正の内容】
【００１５】
上記の課題を解決するため、本発明による表示制御装置は、予め規定された目標座標に対するタッチ入力に応じた座標である検出座標と前記目標座標との座標ズレをキャリブレーションする表示制御装置であって、前記タッチ入力を表示部における座標に変換するための変換係数を用いて変換して前記検出座標として取得する検出座標取得手段と、前記目標座標を基点として予め規定された第１の範囲の内で前記検出座標が得られると、当該検出座標をキャリブレーションに用いるキャリブレーション用座標として取得する第１のキャリブレーション座標取得手段と、前記第１の範囲の外で前記検出座標取得ユニットが前記検出座標を取得すると、今回取得された前記検出座標と前回取得された前記検出座標との間の関係を求め、該求められた関係が、予め定められた特定条件を満たすか否かを判別し、前記特定条件が満たされると判別された回数が所定の回数となった場合に、前記第１の範囲の外で取得された複数の前記検出座標をキャリブレーションに用いるキャリブレーション用座標として取得する第２のキャリブレーション座標取得手段と、前記第１及び／または前記第２のキャリブレーション座標取得手段によって得られた前記キャリブレーション用座標に基づいて前記変換係数を更新するキャリブレーション処理を行うキャリブレーション手段と、を有することを特徴とする。
【手続補正２】
【補正対象書類名】明細書
【補正対象項目名】００１６
【補正方法】変更
【補正の内容】
【００１６】
また、本発明による表示制御方法は、予め規定された目標座標に対するタッチ入力に応じた座標である検出座標と前記目標座標との座標ズレをキャリブレーションする表示制御方法であって、前記タッチ入力を表示部における座標に変換するための変換係数を用いて変換して前記検出座標とする第１のステップ、前記目標座標を基点として予め規定された第１の範囲の内で前記検出座標が得られると、当該検出座標をキャリブレーションに用いるキャリブレーション用座標とする第２のステップ、前記検出座標が前記第１の範囲の外で取得されると、今回取得された前記検出座標と前回取得された前記検出座標との間の関係を求め、該求められた関係が、予め定められた特定条件を満たすか否かを判別し、前記特定条件が満たされると判別された回数が所定の回数となった場合に、前記第１の範囲の外で取得された複数の前記検出座標をキャリブレーションに用いるキャリブレーション用座標とする第３のステップと、前記第２及び前記第３のステップによって得られた前記キャリブレーション用座標に応じて前記変換係数を更新するキャリブレーション処理を行う第４のステップとを有することを特徴とする。
【手続補正３】
【補正対象書類名】明細書
【補正対象項目名】００１７
【補正方法】変更
【補正の内容】
【００１７】
さらに、本発明による表紙制御プログラムは、コンピュータを、請求項１乃至９のいずれか１項に記載された表示制御装置の各手段として機能させるための表示制御プログラムである。
【手続補正４】
【補正対象書類名】明細書
【補正対象項目名】００１８
【補正方法】変更
【補正の内容】
【００１８】
本発明による記録媒体は、コンピュータを、請求項１乃至９のいずれか１項に記載された表示制御装置の各手段として機能させるための表示制御プログラムを格納したコンピュータで読み取り可能な記憶媒体である。
【手続補正５】
【補正対象書類名】特許請求の範囲
【補正対象項目名】全文
【補正方法】変更
【補正の内容】
【特許請求の範囲】
【請求項１】
予め規定された目標座標に対するタッチ入力に応じた座標である検出座標と前記目標座標との座標ズレをキャリブレーションする表示制御装置であって、
前記タッチ入力を表示部における座標に変換するための変換係数を用いて変換して前記検出座標として取得する検出座標取得手段と、
前記目標座標を基点として予め規定された第１の範囲の内で前記検出座標が得られると、当該検出座標をキャリブレーションに用いるキャリブレーション用座標として取得する第１のキャリブレーション座標取得手段と、
前記第１の範囲の外で前記検出座標取得ユニットが前記検出座標を取得すると、今回取得された前記検出座標と前回取得された前記検出座標との間の関係を求め、該求められた関係が、予め定められた特定条件を満たすか否かを判別し、前記特定条件が満たされると判別された回数が所定の回数となった場合に、前記第１の範囲の外で取得された複数の前記検出座標をキャリブレーションに用いるキャリブレーション用座標として取得する第２のキャリブレーション座標取得手段と、
前記第１及び／または前記第２のキャリブレーション座標取得手段によって得られた前記キャリブレーション用座標に基づいて前記変換係数を更新するキャリブレーション処理を行うキャリブレーション手段と、
を有することを特徴とする表示制御装置。
【請求項２】
前記表示部において前記目標座標の位置に目標押下マークを表示する表示制御手段をさらに有し、
前記第１及び前記第２のキャリブレーション座標取得手段は、前記表示部に前記目標押下マークが表示されている際に、前記キャリブレーション用座標を取得することを特徴とする請求項１記載の表示制御装置。
【請求項３】
前記特定条件は、前記目標座標から前記第１の範囲の外で得られた複数の前記検出座標に向かうベクトル同士のなす角度が所定の角度以下であることを特徴とする請求項１又は２記載の表示制御装置。
【請求項４】
前記特定条件は、前記第１の範囲の外で得られた複数の前記検出座標の間の距離が所定の距離以下であることを特徴とする請求項１又は２記載の表示制御装置。
【請求項５】
前記特定条件は、前記第１の範囲の外側に隣接して配置された複数の領域のいずれか１つに前記第１の範囲の外で得られた複数の前記検出座標が位置することであることを特徴とする請求項１又は２記載の表示制御装置。
【請求項６】
前記第２のキャリブレーション座標取得手段は、前記第１の範囲の外の予め規定された第２の範囲の内に前記検出座標が位置すると、前記特定条件を満たすか否かの判定を行うことを特徴とする請求項１〜５いずれか１項記載の表示制御装置。
【請求項７】
複数の前記目標座標が規定され、前記第１及び前記第２のキャリブレーション座標取得手段は、前記目標座標の各々に対して前記キャリブレーション用座標を取得し、
前記キャリブレーション手段が複数の前記キャリブレーション用座標に基づいて前記変換係数を更新した後に、
前記第２のキャリブレーション座標取得手段は、前記目標座標の１つに対して前記キャリブレーション用座標を取得し、当該目標座標の１つよりも後の前記目標座標に対する前記検出座標が前記第１の範囲の外の予め規定された第２の範囲の内に位置している場合に、当該検出座標を前記キャリブレーション用座標として取得することを特徴とする請求項１〜６いずれか１項記載の表示制御装置。
【請求項８】
前記第２のキャリブレーション座標取得手段は、前記特定条件として、前回の前記目標座標から前回の前記検出座標に向かうベクトルと、今回の前記目標座標と前回の前記目標座標を結ぶ軸と、今回の前記目標座標から該今回の前記目標座標に対する前記検出座標に向かうベクトルとの関係を用い、該関係に基づいて前記今回の目標座標に対する検出座標を前記キャリブレーション用座標として用いるか否かを決定することを特徴とする請求項１又は２記載の表示制御装置。
【請求項９】
前記キャリブレーション用座標を記憶領域に記憶する記憶制御手段、および
前記第２のキャリブレーション座標取得手段によって取得した前記キャリブレーション用座標に基づいて、前記キャリブレーション手段が前記キャリブレーション処理を行った後、予め規定された時間が経過すると、前記検出座標取得ユニットが前記キャリブレーション用座標によって求められた変換係数を用いないように制御する制御ユニットをさらに有することを特徴とする請求項１〜８いずれか１項記載の表示制御装置。
【請求項１０】
予め規定された目標座標に対するタッチ入力に応じた座標である検出座標と前記目標座標との座標ズレをキャリブレーションする表示制御方法であって、
前記タッチ入力を表示部における座標に変換するための変換係数を用いて変換して前記検出座標とする第１のステップ、
前記目標座標を基点として予め規定された第１の範囲の内で前記検出座標が得られると、当該検出座標をキャリブレーションに用いるキャリブレーション用座標とする第２のステップ、
前記検出座標が前記第１の範囲の外で取得されると、今回取得された前記検出座標と前回取得された前記検出座標との間の関係を求め、該求められた関係が、予め定められた特定条件を満たすか否かを判別し、前記特定条件が満たされると判別された回数が所定の回数となった場合に、前記第１の範囲の外で取得された複数の前記検出座標をキャリブレーションに用いるキャリブレーション用座標とする第３のステップと、
前記第２及び前記第３のステップによって得られた前記キャリブレーション用座標に応じて前記変換係数を更新するキャリブレーション処理を行う第４のステップとを有することを特徴とする表示制御方法。
【請求項１１】
コンピュータを、請求項１乃至９のいずれか１項に記載された表示制御装置の各手段として機能させるための表示制御プログラム。
【請求項１２】
コンピュータを、請求項１乃至９のいずれか１項に記載された表示制御装置の各手段として機能させるための表示制御プログラムを格納したコンピュータで読み取り可能な記憶媒体。